(57)【特許請求の範囲】
【請求項１】
透液性の表面シートと、不透液性の裏面シートと、前記表面シートと前記裏面シートとの間に設けられた吸収体とを有する本体を備えた吸収性物品であって、
前記本体は、前後方向に所定の長さ及び当該前後方向と直交する幅方向に所定の幅を有する細長形状を有し、前記表面シート側から前記裏面シート側へと窪む圧搾溝を有し、
前記圧搾溝は、前記前後方向に延びる一対の前後方向圧搾溝を含み、
前記前後方向圧搾溝は、高圧搾部と、当該高圧搾部よりも窪みが浅い低圧搾部とを含み、
前記前後方向圧搾溝は、着用時に装着者の臀部の溝に対応する領域に形成された後方第１圧搾溝と、その前方に形成された中央圧搾溝と、前記後方第１圧搾溝の後方に形成された後方第２圧搾溝とを含み、
前記後方第１圧搾溝における高圧搾部の、前記前後方向の単位長さ当たりの面積の合計が、前記中央圧搾溝における高圧搾部の、前記前後方向の単位長さ当たりの面積の合計より小さく、
前記後方第２圧搾溝の溝幅が、前記後方第１圧搾溝の溝幅より大きい、吸収性物品。
【請求項２】
透液性の表面シートと、不透液性の裏面シートと、前記表面シートと前記裏面シートとの間に設けられた吸収体とを有する本体を備えた吸収性物品であって、
前記本体は、前後方向に所定の長さ及び当該前後方向と直交する幅方向に所定の幅を有する細長形状を有し、前記表面シート側から前記裏面シート側へと窪む圧搾溝を有し、
前記圧搾溝は、前記前後方向に延びる一対の前後方向圧搾溝を含み、
前記前後方向圧搾溝は、高圧搾部と、当該高圧搾部よりも窪みが浅い低圧搾部とを含み、
前記前後方向圧搾溝は、着用時に装着者の臀部の溝に対応する領域に形成された後方第１圧搾溝と、その前方に形成された中央圧搾溝と、前記後方第１圧搾溝の後方に形成された後方第２圧搾溝とを含み、
前記後方第１圧搾溝における高圧搾部の、前記前後方向の単位長さ当たりの面積の合計が、前記中央圧搾溝における高圧搾部の、前記前後方向の単位長さ当たりの面積の合計より小さく、
前記後方第２圧搾溝の溝幅が、前記後方第１圧搾溝の溝幅より大きく、
前記後方第２圧搾溝の高圧搾部のピッチが、前記後方第１圧搾溝の高圧搾部のピッチより小さい、吸収性物品。
【請求項３】
前記後方第１圧搾溝の溝幅が、前記中央圧搾溝の溝幅より小さい、請求項１又は２に記載の吸収性物品。
【請求項４】
前記後方第１圧搾溝の前記高圧搾部のピッチが、前記中央圧搾溝の前記高圧搾部のピッチより大きい、請求項１又は２に記載の吸収性物品。
【請求項５】
前記後方第２圧搾溝の高圧搾部の、前記前後方向の単位長さ当たりの面積の合計が、前記後方第１圧搾溝の前記高圧搾部の、前記前後方向の単位長さ当たりの面積の合計より大きい、請求項１又は２に記載の吸収性物品。
【発明の詳細な説明】
【技術分野】
【０００１】
本発明は、吸収性物品に関する。
【背景技術】
【０００２】
従来、生理用ナプキン、パンティライナー、失禁パッド等の吸収性物品として、透液性の表面シートと不透液性の裏面シートとの間に吸収体が設けられたものが知られている。さらに、吸収性物品の中には、体液排出口に対応する部位から後方にかけての領域のフィット性を高め、体液が後方から漏れることを防ぐようにしたものが知られている。【０００３】
例えば、特許文献１には、中間中央領域の左右両側の側方領域の剛性を、前方中央領域及び後方中央領域のそれぞれの左右両側の側方領域の剛性よりも低くした吸収性物品が開示されている。【０００４】
また、特許文献２には、長手方向中心線の両側にそれぞれ吸収性物品の幅方向外側に曲率中心を有する円弧状の臀部潰れ対応エンボスと、長手方向中心線上の位置から後側に向けて両側に漸次拡大する略逆Ｖ字形状部分を有する臀部溝対応エンボスとを形成する構成が開示されている。
【先行技術文献】
【特許文献】
【０００５】
【特許文献１】特許第４３２３７８６号公報
【特許文献２】特開２０１１−１５６０７０号公報
【発明の概要】
【発明が解決しようとする課題】
【０００６】
特許文献１には、開示の構成によって、吸収性物品の前方部分及び後方部分が独立して動き、身体に追従できることが記載されている。また、特許文献２には、吸収性物品を、就寝時の臀部の潰れにも対応してフィットできることが記載されている。【０００７】
しかしながら、特許文献１、２に記載の吸収性物品においては、臀部の溝の形状に合わせた変形に関して、更なる改良の余地がある。【０００８】
上記の点に鑑みて、本発明は、臀部の溝の形状に合わせて良好に変形させることが可能であり、それにより、後方での漏れを防ぐことのできる吸収性物品を提供することを課題とする。
【課題を解決するための手段】
【０００９】
本発明の第一の形態は、透液性の表面シートと、不透液性の裏面シートと、前記表面シートと前記裏面シートとの間に設けられた吸収体とを有する本体を備えた吸収性物品であって、前記本体は、前後方向に所定の長さ及び当該前後方向と直交する幅方向に所定の幅を有する細長形状を有し、前記表面シート側から前記裏面シート側へと窪む圧搾溝を有し、前記圧搾溝は、前記前後方向に延びる一対の前後方向圧搾溝を含み、前記前後方向圧搾溝は、高圧搾部と、当該高圧搾部よりも窪みが浅い低圧搾部とを含み、前記前後方向圧搾溝は、着用時に装着者の臀部の溝に対応する領域に形成された後方第１圧搾溝と、その前方に形成された中央圧搾溝とを含み、前記後方第１圧搾溝における高圧搾部の、前記前後方向の単位長さ当たりの面積の合計が、前記中央圧搾溝における高圧搾部の、前記前後方向の単位長さ当たりの面積の合計より小さい。
【発明の効果】
【００１０】
本発明の一形態によれば、臀部の溝の形状に合わせて良好に変形させることが可能であり、それにより、後方での漏れを防ぐことのできる吸収性物品を提供することができる。
【図面の簡単な説明】
【００１１】
【図１】本発明の一形態による吸収性物品の一部破断図である。
【図２】図１のＩＶ−ＩＶ線断面図である。
【図３Ａ】本発明の一形態による吸収性物品を装着した際の臀部溝対応領域の変形を示す図である。
【図３Ｂ】従来の吸収性物品を装着した際の臀部溝対応領域の変形を示す図である。
【図４Ａ】本発明の一形態における中央圧搾溝の拡大図である。
【図４Ｂ】本発明の一形態における後方第１圧搾溝の拡大図である。
【図４Ｃ】本発明の一形態における後方第２圧搾溝の拡大図である。
【図５】本発明の別の形態による吸収性物品を示す図である。
【発明を実施するための形態】
【００１２】
以下、本発明の実施の形態について図面を参照しながら説明する。
【００１３】
図１に、本発明の一形態による吸収性物品１の一部破断図を示す。また、図２に、図１のＩＶ−ＩＶ線断面を示す。図１、２に示すように、吸収性物品１は、不透液性の裏面シート２と、透液性の表面シート３と、これら両シート２、３間に設けられた吸収体４とを有する本体（吸収性物品本体）８とを備えている。吸収体４の形状保持等のために、吸収体４は、クレープ紙又は不織布等からなる被包シート５によって包まれていてもよい。
【００１４】
本体８は、図１に示すように、全体としては、前後方向に所定の長さを有し、前後方向と直交する方向に略一定の幅を有する細長い形状を有している。そして、図示の形態では、吸収性物品１は、前後方向に延びる中心線ＣＬに対し略線対称の形状になっている。しかし、吸収性物品１又は本体８の構成（形状を含む）は、必ずしも略線対称になっていなくともよい。また、吸収性物品１は、吸収性物品１を装着の際に下着に確実に固定するためのウィングＷ、Ｗを有していてよい。図示の例では、ウィングＷ、Ｗは、体液排出口に対応する部位（体液排出口対応部）４０を含む本体８の領域の両側方から延びているが、吸収性物品１はウィングＷ、Ｗを有していなくともよい。
【００１５】
吸収体４の前方及び後方の端縁部では、裏面シート２の外縁と表面シート３の外縁とが、ホットメルト等の接着剤やヒートシール、超音波シール等の接着手段によって接合されている。また、表面シート３側の両側部には、それぞれ前後方向（長手方向）に沿ってサイド不織布７が設けられている。サイド不織布７は、本体８の側方に部分的に突出し、同じく側方に突出する裏面シート２に積層され、ホットメルト等の接着剤やヒートシール、超音波シール等の接着手段によって接合されており、これにより、本体８の両側部にウィングＷ、Ｗを形成することができる。
【００１６】
裏面シート２としては、ポリエチレンやポリプロピレン等のオレフィン系樹脂シート等の少なくとも遮水性を有するシート材を用いることができる。ポリエチレンシート等に不織布を積層したラミネート不織布や、さらには防水フィルムを介在させて実質的に不透液性を確保した不織布の積層シート等を用いることができる。また、ムレ防止の観点から透湿性を有するものが用いられることがさらに望ましい。このような遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートを用いることができる。
【００１７】
表面シート３は、経血、おりもの、尿等の体液を速やかに透過させる透液性のシートである。表面シート３としては、有孔又は無孔の不織布や多孔性プラスチックシート等が好適に用いられる。不織布を構成する素材繊維としては、例えば、ポリエチレン、ポリプロピレン等のオレフィン、ポリエステル、ポリアミド等の合成繊維、レーヨン、キュプラ等の再生繊維、及びこれらの混紡繊維、並びに綿等の天然繊維を単独で又は２種以上組み合わせて用いることができる。また、不織布の加工法としては、スパンレース法、スパンボンド法、サーマルボンド法、メルトブローン法、ニードルパンチ法等が挙げられる。これらの加工法の内、スパンレース法は柔軟性、スパンボンド法はドレープ性に富む不織布を製造できる点で好ましく、サーマルボンド法は嵩高でソフトな不織布を製造できる点で好ましい。また、融点の高い繊維を芯とし融点の低い繊維を鞘とした芯鞘型繊維、サイドバイサイド型繊維、分割型繊維などの複合繊維を用いることができる。
【００１８】
裏面シート２と表面シート３との間に介在される吸収体４は、体液を吸収して保持できる材料であれば限定されないが、綿状パルプと吸水性ポリマーとを含むことが好ましい。吸水性ポリマーとしては、高吸水ポリマー粒状粉（ｓｕｐｅｒａｂｓｏｒｂｅｎｔ  ｐｏｌｙｍｅｒ（ＳＡＰ））、高吸水ポリマー繊維（ｓｕｐｅｒａｂｓｏｒｂｅｎｔ  ｆｉｂｅｒ（ＳＡＦ））及びこれらの組合せを用いることができる。パルプとしては、木材から得られる化学パルプ、溶解パルプ等のセルロース繊維、レーヨン、アセテート等の人工セルロース繊維からなるものが挙げられる。化学パルプの原料材としては、広葉樹材、針葉樹材等が用いられるが、繊維長が長いこと等から針葉樹材が好適に使用される。
【００１９】
また、吸収体４には合成繊維を混合してもよい。合成繊維としては、ポリエチレン、ポリプロピレン等のポリオレフィン、ポリエチレンテレフタレート、ポリブチレンテレフタレート等のポリエステル、ナイロン等のポリアミド、及びこれらの共重合体を使用することができ、これらのうちの２種を混合して使用することもできる。また、融点の高い繊維を芯とし融点の低い繊維を鞘とした芯鞘型繊維、サイドバイサイド型繊維、分割型繊維などの複合繊維も用いることができる。なお、疎水性繊維を親水化剤で表面処理し、体液に対する親和性を付与したものを用いることもできる。
【００２０】
吸収体４の厚みは、０．５〜２５ｍｍの範囲内とすることができ、３．５〜７．５ｍｍの範囲であると好ましい。吸収体４は、前面にわたり均一な厚みを有していなくともよく、体液排出口対応部４０及びその付近の領域、また臀部の溝に対応する部分（臀部溝対応部）及びその付近の領域を膨出させた構造とすることもできる。また、吸収体４は、積繊又はエアレイド法によって製造されたものが好ましい。
【００２１】
サイド不織布７としては、撥水処理不織布又は親水処理不織布を使用することができる。例えば、経血やおりもの等が浸透するのを防止する効果又は肌触り感を高める場合は、シリコン系、パラフィン系、アルキルクロミッククロライド系撥水剤などをコーティングした撥水処理不織布を用いることが好ましい。また、ウィングＷにおける経血等の吸収性を高める場合には、不織布の材料として、親水処理された不織布を用いることが好ましい。不織布の種類としては、折り癖が付きにくく、シワに成りにくく柔らかいエアスルー不織布が好ましい。
【００２２】
ウィングＷ、Ｗの外縁には、サイド不織布７と裏面シート２との接合のため及び剛性を高める目的で、所定の箇所に、ドット状や所定の形状を有する圧搾部（エンボス）が設けられていてもよい。
【００２３】
吸収性物品１の全長は、１３０〜４５０ｍｍとすることができ、２００〜３６０ｍｍとすることができる。
【００２４】
吸収性物品１には、圧搾溝（圧縮溝、エンボスともいう）が設けられている。この圧搾溝は、表面シート３から裏面シート２側に窪む線状の溝として形成されたものである。圧搾溝は、吸収体４のヨレを抑えたり、表面又は内部での体液の移行をコントロールしたり、また身体の形状に適合した変形を容易にしたりする機能を有する。圧搾溝は、吸収体４の上に表面シート３を積層させた積層体を、一対の加圧ロールの間に通過させることによって形成することができる。例えば、上記積層体を、表面シート３側及び吸収体４側に、凸状のロール及び平坦なロールがそれぞれ配置されるようにして通過させることができる。
【００２５】
圧搾溝には、図１に示すように、本体の前後方向中心線ＣＬを対称軸として線対称に、前後方向に延びる一対の前後方向溝１０、１０が含まれる。この一対の前後方向圧搾溝１０、１０は、装着時に膣口等の体液排出口に対応する部分（体液排出口対応部）４０を避けるように、体液排出口対応部４０の側方に沿って又は体液排出口対応部４０から側方に所定の距離を置いた位置を通るようにして前後方向に延びていてよい。前後方向圧搾溝１０、１０は、本体の長さの５０〜８５％程度の長さを有していてよい。また、前後方向圧搾溝１０、１０は、全体として直線状に延びていてもよく、図示の例のように、途中で湾曲していてもよい。なお、一対の前後方向溝１０、１０は、必ずしも線対称に設けられていなくてもよい。但し、一対の前後方向溝１０、１０は、前後方向中心線ＣＬの両側にそれぞれ設けられていることが好ましい。
【００２６】
一対の前後方向圧搾溝１０、１０があることで、この圧搾溝を起点（可撓軸）として吸収性物品本体８が折れ曲がりやすくなっている。そのため、装着時に本体８が、両脚からの力を側方（前後方向と直交する方向）から受けた時、前後方向圧搾溝１０、１０が起点となって前後方向圧搾溝１０、１０間の領域を盛り上げることができ、これにより、本体８の身体へのフィット性を高めることができる。
【００２７】
一対の前後方向圧搾溝１０、１０は、高圧搾部１１と、高圧搾部１１よりも窪みが浅い低圧搾部１２とを含んでいる（図１、２）。図面においては、高圧搾部１１は黒色で、低圧搾部１２は白色（無色）で示す。高圧搾部１１及び低圧搾部１２の圧搾深さは、特に限定されないが、高圧搾部１１は、低圧搾部１２の底面より、０．５ｍｍ〜３ｍｍ程度溝深さを相対的に深く形成した部分であってよい。また、前後方向圧搾溝１０、１０において、高圧搾部１１は、前後方向に連続していてもよいし、不連続になっていてもよいが、溝が適度な剛性を有するためには、不連続になっている（前後方向で複数の高圧搾部間が離間して設けられている）ことが好ましい。このような高圧搾部と低圧搾部とを含む圧搾溝の構成は、所望の構成に対応する凹凸を有する加圧ロールを用いることによって得ることができる。例えば、圧搾溝全体の形状に対応する凸部を設け、さらに凸部上に、高圧搾部に対応する微細凸部を設けた加圧ロールを用いることができる。また、圧搾溝を構成しようとする領域に、比較的低い圧力で低圧搾部をまず形成し、その後、形成された低圧搾部の領域の一部に、比較的高い圧力で高圧搾部を形成することによって得ることができる。圧搾部の深さの調整は、圧搾溝の形成のために用いられる上述の加圧ロールの印圧を調整することによって行うことができる。
【００２８】
本例においては、前後方向圧搾溝１０、１０以外の他の圧搾溝にも、高圧搾部と低圧搾部とが設けられていてよい。図１の例では、後述の前方圧搾溝２０を含む全ての圧搾溝に、高圧搾部と低圧搾部とが設けられている。
【００２９】
図１の例では、一対の前後方向圧搾溝１０、１０は、中央圧搾溝１０ａ、１０ａ、後方第１圧搾溝１０ｂ、１０ｂ、及び後方第２圧搾溝１０ｃ、１０ｃを有しており、これらの圧搾溝は、上記の順に前後方向に連結していてよい。中央圧搾溝１０ａ、１０ａ、後方第１圧搾溝１０ｂ、１０ｂ、及び後方第２圧搾溝１０ｃ、１０ｃはそれぞれ、中央領域Ａ、後方第１領域Ｂ、及び後方第２領域Ｃに設けられている。
【００３０】
中央圧搾溝１０ａ、１０ａの前後方向の長さは、６０〜１１０ｍｍとすることができ、後方第１圧搾溝１０ｂ、１０ｂの前後方向の長さは、３０〜６０ｍｍとすることができ、後方第２領域圧搾溝１０ｃ、１０ｃの前後方向の長さは、３０〜６０ｍｍとすることができる。
【００３１】
中央領域Ａは、体液排出口対応部４０を含み、装着時には装着者の尿道口から肛門までの股間の部分におおよそ対応する領域であってよい。また、後方第１領域Ｂは、装着者の臀部の溝に対応する領域、具体的には、装着者の臀部の溝に対応する部分を含みつつ前後方向に広がる領域（臀部溝対応領域）である。後方第１領域Ｂは、臀裂部全体をカバーする領域ということもできるし、会陰の後方又は肛門付近から尾てい骨の下端付近までの領域ということもできる。後方第２領域Ｃは、おおよそ臀裂が終わる位置から本体８の後端までとすることができる。なお、中央領域Ａの前方の領域は、前方領域Ｆとすることができる。
【００３２】
上述のように、本体８は、装着時に両脚からの力を受けると、通常、前後方向圧搾溝１０、１０を起点として、前後方向圧搾溝１０、１０間の領域が高く盛り上がる。このような前後方向圧搾溝１０、１０間の高い盛り上がりは、比較的狭く深い股間部の溝には良好に適合する。
【００３３】
これに対し、臀部の溝は、股間部の溝よりも幅が大きく浅い形状を有している。そのため、前後方向圧搾溝１０、１０間の盛り上がり具合が鋭いと、本体８が臀部の溝に良好に密着できない場合がある。
【００３４】
この点に鑑みた本発明の一例では、一対の前後方向圧搾溝１０、１０が、着用時に装着者の臀部の溝に対応する領域Ｂに形成された後方第１圧搾溝１０ｂ、１０ｂと、その前方に形成された中央圧搾溝１０ａ、１０ａとを含む。そして、後方第１圧搾溝１０ｂ、１０ｂの高圧搾部１１の、前後方向の長さ当たりの面積の合計Ｓｂが、中央圧搾溝１０ａ、１０ａの高圧搾部１１の、前後方向の長さ当たりの面積の合計Ｓａより小さくなっている（Ｓｂ＜Ｓａ）。
【００３５】
ここで、「高圧搾部の、前後方向の長さ当たりの面積の合計」とは、所定の間隔を置いて離れた幅方向に延びる２本の仮想線で本体８を切った場合、その仮想線に挟まれた範囲内に含まれる全ての高圧搾部１１の面積の合計を指す。例えば、前後方向に３ｃｍの間隔を置いて離れた２本の仮想線に挟まれた範囲内に含まれる高圧搾部の面積の合計を、各圧搾溝（中央圧搾溝１０ａ、１０ａ、後方第１圧搾溝１０ｂ、１０ｂ）について求め、比較することができる。また、前後方向中心線ＣＬの左半分又は右半分で、比較をしてもよい。
【００３６】
高圧搾部１１は、上述のような加圧ロール等によって強く深く圧搾された部位であるため、単位長さ当たりに存在する高圧搾部１１の面積が小さいほど圧搾溝の剛性は小さくなる。よって、後方第１圧搾溝１０ｂ、１０ｂの剛性は、中央圧搾溝１０ａ、１０ａよりも小さくなり、その結果、後方第１圧搾溝１０ｂ、１０ｂの周辺の領域の剛性も小さくなっている。これにより、後方第１領域Ｂを柔らかく保つことができ、後方第１圧搾溝１０ｂ、１０ｂを起点として本体８が鋭く折れ曲がることを回避できる。そのため、股間部の溝よりも幅が広く浅い臀部の溝の形状に合わせて、本体８を良好に変形させることが可能となる。
【００３７】
中央圧搾溝１０ａ、１０ａの高圧搾部１１の、前後方向の単位長さ当たりの面積の合計Ｓａに対する、後方第１圧搾溝１０ｂ、１０ｂの高圧搾部１１の、前後方向の単位長さ当たりの面積の合計Ｓｂの比の値（Ｓｂ／Ｓａ）は、０．２〜０．６であると好ましく、０．３２〜０．５２であるとより好ましい。
【００３８】
このような本例の圧搾溝の構成による作用効果について、図３Ａ及び３Ｂを参照しながらさらに詳説する。図３Ａは、図１の吸収性物品１を装着した際の、臀部７０と本体８との接触状態を示す断面図である。また、図３Ｂは、臀部の溝７０と、従来の吸収性物品の本体８´との接触状態を示す断面図である。
【００３９】
図３Ｂにおいて、従来の吸収性物品本体８´の後方第１領域Ｂに設けられている圧搾溝１０ｂ´、１０ｂ´は、その前方の中央圧搾溝と同じ構造を有し、同じ剛性を有しているものである。そのため、本体８´は、圧搾溝１０ｂ´、１０ｂ´を起点として鋭く折れ曲がりやすく、圧搾溝１０ｂ´、１０ｂ´間の領域が突出して高く盛り上がる傾向がある。そうすると、本体８´は、臀部の幅広の溝７０の形状に良好にフィットせず、臀部と本体８´との間に隙間ができやすくなり、この隙間によって体液の漏れが生じ得る。
【００４０】
本例においては、吸収性物品本体８の後方第１領域Ｂに設けられている後方第１圧搾溝１０ｂ、１０ｂは、その前方に設けられている中央圧搾溝１０ａ、１０ａと異なる構成を有している（図１）。具体的には、前後方向の単位長さ当たりの後方第１圧搾溝１０ｂ、１０ｂの高圧搾部１１の面積の合計Ｓｂが、前後方向の単位長さ当たりの中央圧搾溝１０ａ、１０ａの高圧搾部１１の面積の合計Ｓａより小さくなっているので、後方第１圧搾溝１０ｂ、１０ｂの剛性が、中央圧搾溝１０ａ、１０ａの剛性よりも小さくなっている。そのため、後方第１圧搾溝１０ｂ、１０ｂは鋭く折れ曲がることなく、本体８全体の柔らかさを保つことができる。これにより、図３Ａに示すように、本体８は緩やかに盛り上がり、臀部の溝７０の形状に沿って本体８をフィットさせることができる。よって、特に臀部の溝７０を伝って後方への体液が漏れることを防止することができる。
【００４１】
後方第１圧搾溝１０ｂ、１０ｂ間の幅は、中央圧搾溝１０ａ、１０ａ間の幅よりも小さくなっている。これにより、後方第１領域Ｂにおける本体８の盛り上がりは、中央領域Ａよりも低くなり、後方第１領域Ｂを臀部に良好にフィットさせることができる。
【００４２】
さらに、上述のように臀部の溝に対応する領域Ｂにおいて本体８が柔軟性を維持できることで、身体の状態によって臀部の溝の幅や深さが変化しても、それに追従して本体８を変形させることができる。また、中央圧搾溝１０ａ、１０ａと後方第１圧搾溝１０ｂ、１０ｂとが連結しているため、装着者の股間部から臀部の溝への移行部分へのフィット性も良好である。したがって、本例による吸収性物品１は、長時間にわたる使用又は就寝時の使用においても後方への漏れを良好に防止することができるため、長時間用又は夜用の生理用ナプキンとして好適に使用することができる。
【００４３】
図１の例では、上述のように、一対の前後方向圧搾溝１０、１０は、中央圧搾溝１０ａ、１０ａ、後方第１圧搾溝１０ｂ、１０ｂに加えて、さらに後方第２圧搾溝１０ｃ、１０ｃを有している。そして、後方第２圧搾溝１０ｃ、１０ｃの高圧搾部の、前後方向の単位長さ当たりの面積の合計Ｓｃを、後方第１圧搾溝１０ｂ、１０ｂの高圧搾部の、前後方向の単位長さ当たりの面積の合計Ｓｂより大きくする（Ｓｃ＞Ｓｂ）ことができる。これにより、後方端部に近い後方第２圧搾溝１０ｃ、１０ｃの剛性を、後方第１圧搾溝１０ｂ、１０ｂよりも大きくすることができる。よって、後方第１領域（臀部溝対応領域）Ｂの剛性を小さくして本体を柔らかく保ち、臀部の溝の形状に合わせて本体を良好に変化させるという上記の効果を維持しつつ、臀部の溝が小さい又はない部位に当てがわれる後方第２領域Ｃのヨレやシワを防ぐことができる。
【００４４】
後方第１圧搾溝１０ｂ、１０ｂの高圧搾部の、前後方向の単位長さ当たりの面積の合計Ｓｂに対する、後方第２圧搾溝１０ｃ、１０ｃの高圧搾部の、前後方向の単位長さ当たりの面積の合計Ｓｃの比の値（Ｓｃ／Ｓｂ）は、１〜４．５であると好ましく、１．５〜３．５であるとより好ましい。
【００４５】
なお、前後方向の単位長さ当たりの後方第２圧搾溝１０ｃ、１０ｃの高圧搾部の面積の合計Ｓｃは、前後方向の単位長さ当たりの中央圧搾溝１０ａ、１０ａの高圧搾部の面積の合計Ｓａと同じとすることもできるし、また異なっていてもよい。
【００４６】
また、図示の例では、後方第２圧搾溝１０ｃ、１０ｃは、後方に向かうにつれ幅方向内側に湾曲するとともに圧搾溝幅が小さくなっており、後端で連結している。しかし、後方第２圧搾溝１０ｃ、１０ｃの平面視の形状は図示のものに限られず、圧搾溝同士が連結していなくてもよい。
【００４７】
図４Ａ〜４Ｃはそれぞれ、図１の部分Ｉ、ＩＩ、ＩＩＩの拡大図であり、すなわち、中央圧搾溝１０ａ、１０ａ、後方第１圧搾溝１０ｂ、１０ｂ、及び後方第２圧搾溝１０ｃ、１０ｃの部分的な拡大図である。図示のように、各圧搾溝はいずれも、高圧搾部１１と低圧搾部１２とを含む。
【００４８】
また、図４Ａ及び図４Ｂに示すように、後方第１圧搾溝１０ｂの溝幅ｗｂは、中央圧搾溝１０ａの溝幅ｗａよりも小さいと好ましい（ｗｂ＜ｗａ）。これにより、後方第１圧搾溝１０ｂの剛性をさらに小さくすることができ、後方第１領域Ｂにおいて本体８を柔らかく保つという作用効果を高めることができる。
【００４９】
後方第１圧搾溝１０ｂの溝幅ｗｂは、０．５〜３．０ｍｍであると好ましく、１〜２ｍｍであると好ましい。中央圧搾溝１０ａの溝幅ｗａは、１．０〜３．５ｍｍであると好ましく、１．５〜２．５ｍｍであるとより好ましい。また、上記ｗａに対するｗｂの比の値（ｗｂ／ｗａ）は、０．６０〜０．９であると好ましく、０．６５〜０．８５であるとより好ましい。
【００５０】
また、図示のように、後方第１圧搾溝１０ｂの高圧搾部１１のピッチｐｂは、中央圧搾溝１０ａの高圧搾部１１のピッチｐａよりも大きいと好ましい（ｐｂ＞ｐａ）。これにより、後方第１圧搾溝１０ｂ中の低圧搾部１２の面積が大きくなるので、後方第１領域Ｂの剛性を低くでき、後方第１領域Ｂにおいて本体８を柔らかく保つという作用効果を一層高めることができる。
【００５１】
後方第１圧搾溝１０ｂの高圧搾部１１のピッチｐｂは、４〜１０ｍｍであると好ましく、６〜８ｍｍであるとより好ましい。中央圧搾溝１０ａの高圧搾部１１のピッチｐａは、２．５〜６ｍｍであると好ましく、３．４〜４．４ｍｍであるとより好ましい。また、上記ｐａに対するｐｂの比の値（ｐｂ／ｐａ）は、１．２〜２．８であると好ましく、１．３〜２．３であるとより好ましい。
【００５２】
また、後方第１圧搾溝１０ｂの高圧搾部１１間の間隔ｄｂも、中央圧搾溝１０ａの高圧搾部１１間の間隔ｄａより大きくなっていると好ましい（ｄｂ＞ｄａ）。後方第１圧搾溝１０ｂの高圧搾部１１間の間隔ｄｂは、２．５〜７ｍｍであると好ましく、３．５〜６．５ｍｍであるとより好ましい。また、中央圧搾溝１０ａの高圧搾部１１間の間隔ｄａは、０．５〜３ｍｍであると好ましく、１．２〜２．３ｍｍであるとより好ましい。
【００５３】
図示のように、後方第２圧搾溝１０ｃの溝幅ｗｃは、後方第１圧搾溝１０ｂの溝幅ｗｂよりも大きいことが好ましい（ｗｃ＞ｗｂ）。これにより、後方第２領域Ｃの剛性を、後方第１領域Ｂの剛性よりも大きくすることができる。よって、後方第１領域Ｂの剛性を小さくして本体８を柔らかく保ち、臀部の溝の形状に合わせて本体を良好に変化させるという上記の効果を維持しつつ、後方端部に近い後方第２領域Ｃのヨレやシワを防ぐことができる。
【００５４】
後方第２圧搾溝１０ｃの溝幅ｗｃは、１．０〜３．５ｍｍであると好ましく、１．５〜２．５ｍｍであるとより好ましい。また、上記ｗｂに対するｗｃの比の値（ｗｃ／ｗｂ）は、１．１〜１．５であると好ましく、１．２〜１．４であるとより好ましい。後方第２圧搾溝１０ｃの溝幅ｗｃは、中央圧搾溝１０ａの溝幅ｗａと同じであってもよい。
【００５５】
また、後方第２圧搾溝１０ｃの高圧搾部１１のピッチｐｃは、後方第１圧搾溝１０ｂの高圧搾部１１のピッチｐｂよりも小さいことが好ましい（ｐｃ＜ｐｂ）。これにより、後方第２領域Ｃの剛性を、後方第１領域Ｂの剛性よりも大きくすることができる。よって、後方第１領域Ｂの剛性を小さくして本体８を柔らかく保ち、臀部の溝の形状に合わせて本体を良好に変化させるという上記の効果を維持しつつ、後方端部に近い後方第２領域Ｃのヨレやシワを防ぐことができる。
【００５６】
後方第２圧搾溝１０ｃの高圧搾部１１のピッチｐｃは、３．５〜７．５ｍｍであると好ましく、４．５〜６．５ｍｍであるとより好ましい。また、上記ｐｂに対するｐｃの比の値（ｐｃ／ｐｂ）は、０．５〜０．９であると好ましく、０．６８〜０．８８であるとより好ましい。後方第２圧搾溝１０ｃの高圧搾部１１のピッチｐｃは、中央圧搾溝１０ａの高圧搾部１１のピッチｐａと同じであってもよい。
【００５７】
また、後方第２圧搾溝１０ｃの高圧搾部１１間の間隔ｄｃは、後方第１圧搾溝１０ｂの高圧搾部１１間の間隔ｄｂより小さいと好ましい（ｄｃ＜ｄｂ）。後方第２圧搾溝１０ｃの高圧搾部１１間の間隔ｄｃは、２．５〜５ｍｍであると好ましく、３〜４．５ｍｍであるとより好ましい。
【００５８】
なお、上記の溝幅ｗａ、ｗｂ、及びｗｃは、圧搾溝にわたって一定であってもよいし変動していてもよい。また、ピッチｐａ、ｐｂ、及びｐｃ、並びに間隔ｄａ、ｄｂ、及びｄｃも、圧搾溝にわたって一定であってもよいし変動していてもよい。上記値が圧搾溝にわたって変動している場合には、各値は、各圧搾溝における平均値とすることができる。
【００５９】
なお、図示の例では、前後方向圧搾溝１０、１０においては、各高圧搾部が圧搾溝の両縁のどちらか一方に接するように形成され、圧搾溝の一方の縁に接する高圧搾部と圧搾溝の他方の縁に接する高圧搾部とが、交互に千鳥状に並んで配置されている。千鳥状の配置であると、製造の際に高圧搾部が確実に入りやすいので、好ましい。しかし、高圧搾部の配置は、図示のものに限られず、各高圧搾部が、圧搾溝の両縁に接するように形成され、所定の間隔をおいて配置されていてもよい。
【００６０】
また、高圧搾部の形状は、図１の前後方向圧搾溝１０、１０では半円形になっているが、円形、楕円形、四角形等の多角形等であってよい。そして、いずれの場合でも、各高圧搾部は、圧搾溝の両縁に接するように形成されていてもよいし、圧搾溝の両縁のどちらか一方に接するように形成されていてもよい。例えば、後述の前方圧搾溝２０のように、高圧搾部が円形になっており、圧搾溝の両縁に接するように形成されていてもよい。また、高圧搾部は、圧搾溝の両縁のいずれにも接することなく配置されていてもよい。
【００６１】
図１に示すように、圧搾溝には、前方圧搾溝２０が含まれていてよい。前方圧搾溝２０が設けられていることで、前方の領域を身体の丸みに併せて湾曲させやすくなり、また前方からの漏れも防ぐことができる。
【００６２】
前方圧搾溝２０の形状にも特に限定はない。しかし、図示の例のハート形状のように、Ｖ字形状を含む形状を有していると、Ｖ字形状の先端が起点となって、前方の領域を湾曲させることができるので、好ましい。
【００６３】
図５に、別例による吸収性物品５０１を示す。図１の例と同様、吸収性物品５０１は本体５０８を備え、表面シート５０３側から裏面シート側に窪む圧搾溝が形成されている。圧搾溝には前後方向圧搾溝５１０、５１０が含まれ、前後方向圧搾溝５１０、５１０には、中央圧搾溝５１０ａ、５１０ａ及び後方第１圧搾溝５１０ｂ、５１０ｂが含まれる。但し、前後方向圧搾溝５１０、５１０が後方第２圧搾溝を含まず、代わりに後方第２領域Ｃにおいて後方幅方向圧搾溝５３０が設けられている点で、図１に示す吸収性物品１と異なっている。また、吸収性物品５０１の長さは、吸収性物品１の長さと比較して、後方第２領域Ｃの長さが短くなっている分、短くなっている。
【００６４】
図５の例においても、平面視で、後方第１圧搾溝５１０ｂ、５１０ｂの高圧搾部５１１の、前後方向の単位長さ当たりの面積の合計が、中央圧搾溝５１０ａ、５１０ａの高圧搾部５１１の、前後方向の単位長さ当たりの面積の合計より小さくなっている。これにより、装着時に装着者の股間部に対応する中央領域Ａにおけるフィット性を維持しつつ、臀部溝対応領域である後方第１圧搾領域Ｂを柔らかく保つことができ、これにより、後方第１圧搾領域Ｂにおける臀部の溝へのフィット性を向上させることができる。
【００６５】
なお、後方幅方向圧搾溝５３０は、高圧搾部と低圧搾部とを有していてよい。後方幅方向圧搾溝５３０の幅、高圧搾部のピッチ、高圧搾部間の間隔等は、後方第１圧搾溝５１０ｂ、５１０ｂと同じであってもよいし異なっていてもよく、さらに中央圧搾溝５１０ａ、５１０ａと同じであってもよいし異なっていてもよい。
【００６６】
以下、本発明の好ましい態様を付記する。
【００６７】
（付記１）
付記１に係る態様は、透液性の表面シートと、不透液性の裏面シートと、前記表面シートと前記裏面シートとの間に設けられた吸収体とを有する本体を備えた吸収性物品であって、前記本体は、前後方向に所定の長さ及び当該前後方向と直交する幅方向に所定の幅を有する細長形状を有し、前記表面シート側から前記裏面シート側へと窪む圧搾溝を有し、  前記圧搾溝は、前記前後方向に延びる一対の前後方向圧搾溝を含み、前記前後方向圧搾溝は、高圧搾部と、当該高圧搾部よりも窪みが浅い低圧搾部とを含み、前記前後方向圧搾溝は、着用時に装着者の臀部の溝に対応する領域に形成された後方第１圧搾溝と、その前方に形成された中央圧搾溝とを含み、前記後方第１圧搾溝における高圧搾部の、前記前後方向の単位長さ当たりの面積の合計が、前記中央圧搾溝における高圧搾部の、前記前後方向の単位長さ当たりの面積の合計より小さい。
【００６８】
上記付記１に係る態様では、前後方向圧搾溝が、装着時に装着者の臀部の溝に対応する領域に形成された後方第１圧搾溝と、その前方に形成された中央圧搾溝とを含み、前後方向の単位長さ当たりで、後方第１圧搾溝における高圧搾部の面積の合計が、中央圧搾溝における高圧搾部の面積の合計より小さくなっている。そのため、後方第１圧搾溝が形成されている臀部の溝に対応する領域（臀部溝対応領域）の剛性を、中央圧搾溝が形成されている本体の中央領域の剛性より小さくすることができる。これにより、臀部溝対応領域で本体を柔らかく保つことができ、臀部の溝の形状に合わせて本体を良好に変形させることが可能となる。結果として、吸収性物品が臀部の溝へ良好にフィットするため、臀部と本体とに隙間ができることなく、後方への体液の漏れを防止することができる。
【００６９】
（付記２）
付記２に係る態様は、前記後方第１圧搾溝の溝幅が、前記中央圧搾溝の溝幅より小さい。
【００７０】
上記付記２に係る態様では、後方圧搾溝の溝幅を小さくしたことで、後方第１圧搾溝によって付与される剛性を小さくすることができる。これにより、臀部溝対応領域での本体の剛性を小さくでき、臀部の溝の形状に合わせて本体を良好に変形させるという効果を高めることができる。
【００７１】
（付記３）
付記３に係る態様は、前記後方第１圧搾溝の前記高圧搾部のピッチが、前記中央圧搾溝の前記高圧搾部のピッチより大きい。
【００７２】
上記付記３に係る態様では、後方第１圧搾溝の高圧搾部のピッチを大きくしたことで、後方第１圧搾溝によって付与される剛性を小さくすることができる。これにより、臀部溝対応領域での本体の剛性を小さくでき、臀部の溝の形状に合わせて本体を良好に変形させるという効果を高めることができる。
【００７３】
（付記４）
付記４に係る態様は、前記前後方向圧搾溝が、前記後方第１圧搾溝の後方に形成されている後方第２圧搾溝を含み、前記後方第２圧搾溝の高圧搾部の、前記前後方向の単位長さ当たりの面積の合計が、前記後方第１圧搾溝の前記高圧搾部の、前記前後方向の単位長さ当たりの面積の合計より大きい。
【００７４】
上記付記４に係る態様では、前後方向圧搾溝が、後方第１圧搾溝の後方に後方第２圧搾溝を含み、前後方向の単位長さ当たりで、後方第２圧搾溝の高圧搾部の面積の合計が、後方第１圧搾溝の高圧搾部の面積の合計より大きくなっている。そのため、後方第２圧搾溝が設けられている、臀部の溝に対応している領域からさらに後方の領域の剛性を、臀部溝対応領域よりも大きくすることができる。これにより、臀部溝対応領域の剛性を小さくして本体を柔らかく保ち、臀部の溝の形状に合わせて本体を良好に変化させるという上記の効果を維持しつつ、後方端部に近い領域のヨレやシワを防ぐことができる。
【００７５】
（付記５）
付記５に係る態様は、前記後方第２圧搾溝の溝幅が、前記後方第１圧搾溝の溝幅より大きい。
【００７６】
上記付記５に係る態様では、後方第２圧搾溝の溝幅を大きくしたことで、臀部溝対応領域より後方の後方端部に近い領域の剛性を大きくすることができる。これにより、臀部溝対応領域において臀部の溝の形状に合わせて本体を良好に変化させるという効果を維持しつつ、臀部溝対応領域の後方の領域のヨレやシワを防ぐことができる。
【００７７】
（付記６）
付記６に係る態様は、前記後方第２圧搾溝の前記高圧搾部のピッチが、前記後方第１圧搾溝の前記高圧搾部のピッチより小さい。
【００７８】
上記付記６に係る態様では、後方第２圧搾溝のピッチを小さくしたことで、臀部溝対応領域より後方の後方端部に近い領域の剛性を大きくすることができる。これにより、臀部溝対応領域において臀部の溝の形状に合わせて本体を良好に変化させるという効果を維持しつつ、臀部溝対応領域の後方の領域のヨレやシワを防ぐことができる。
【００７９】
本出願は、２０１７年６月１９日に日本国特許庁に出願された特願２０１７−１１９７４２号に基づく優先権を主張するものであり、その全内容は参照をもってここに援用される。
【符号の説明】
【００８０】
１、５００  吸収性物品
２  裏面シート
３、５０３  表面シート
４  吸収体
５  被包シート
７  サイド不織布
８、５０８  本体（吸収性物品本体）
１０、５１０  前後方向圧搾溝
１０ａ、５１０ａ  中央圧搾溝
１０ｂ、５１０ｂ  後方第１圧搾溝
１０ｃ  後方第２圧搾溝
１１、５１１  高圧搾部
１２、５１２  低圧搾部
２０  前方圧搾溝
４０  体液排出口対応部
７０  臀部の溝
５３０  後方幅方向圧搾溝
ＣＬ  前後方向中心線
Ａ  中央領域
Ｂ  後方第１領域（臀部溝対応領域）
Ｃ  後方第２領域
Ｆ  前方領域
Ｗ  ウィング
【要約】
吸収性物品の本体は、表面シート側から裏面シート側へと窪む圧搾溝を有し、圧搾溝は、前後方向に延びる一対の前後方向圧搾溝を含み、前後方向圧搾溝は、高圧搾部と、高圧搾部よりも窪みが浅い低圧搾部とを含み、前後方向圧搾溝は、着用時に装着者の臀部の溝に対応する領域に形成された後方第１圧搾溝と、その前方に形成された中央圧搾溝とを含み、後方第１圧搾溝における高圧搾部の、前後方向の単位長さ当たりの面積の合計が、中央圧搾溝における高圧搾部の、前後方向の単位長さ当たりの面積の合計より小さい。【図１】
0006442113.tif 000002
【図２】
0006442113.tif 000003
【図３Ａ】
0006442113.tif 000004
【図３Ｂ】
0006442113.tif 000005
【図４Ａ】
0006442113.tif 000006
【図４Ｂ】
0006442113.tif 000007
【図４Ｃ】
0006442113.tif 000008
【図５】
0006442113.tif 000009